(57)【要約】      （修正有）【課題】リールの巻き上げ動作や釣り竿のシャクリ動作に合わせて、しっかりかつ確実に動きを引き出すことができるジギング用ルアーを提供する。【解決手段】ジギング用ルアーは、細長状のルアー本体２と、ルアー本体２の長手方向の少なくとも一端部に設けられ、釣り針または釣り糸を取り付けるための取付部３ａ、３ｂと、を備える。ルアー本体２は、長手方向の一端側を構成する軽量部４と、軽量部４より重量が大きく長手方向の他端側を構成する重量部５とを有する。軽量部４は、第１の金属材料にて形成されている。重量部５は、第１の金属材料とは異なり、第１の金属材料より比重が大きな第２の金属材料にて形成されている。【選択図】図２
0003229440.tif 000002
【実用新案登録請求の範囲】
【請求項１】
細長状のルアー本体と、
前記ルアー本体の長手方向の少なくとも一端部に設けられ、釣り針または釣り糸を取り付けるための取付部と、を備え、
前記ルアー本体は、長手方向の一端側を構成する軽量部と、この軽量部より重量が大きく長手方向の他端側を構成する重量部とを有し、
前記軽量部は、第１の金属材料にて形成され、
前記重量部は、前記第１の金属材料とは異なり、前記第１の金属材料より比重が大きな第２の金属材料にて形成されている
ことを特徴とするジギング用ルアー。
【請求項２】
前記第２の金属材料は、前記第１の金属材料の融点より低い融点の金属材料であり、
前記軽量部の前記重量部に対向する位置に、係合突部が突出して設けられ、
前記重量部の前記軽量部に対向する位置に、前記係合突部を係止する係合凹部が設けられ、
前記ルアー本体は、前記係合突部を前記係合凹部に係合させて、前記軽量部と前記重量部とを一体的に結合させた構成である
ことを特徴とする請求項１に記載のジギング用ルアー。
【請求項３】
前記係合突部の先端側には、前記ルアー本体の長手方向に直交する方向に突出した係止片部が設けられ、
前記係合凹部の基端部には、前記係止片部が係止する被係止部が設けられている
ことを特徴とする請求項２に記載のジギング用ルアー。
【請求項４】
前記軽量部は、亜鉛合金またはアルミニウム合金にて形成され、
前記重量部は、鉛にて形成されている
ことを特徴とする請求項１ないし３のいずれか一項に記載のジギング用ルアー。
【請求項５】
前記取付部は、前記ルアー本体の両端部のそれぞれに一対設けられ、前記ルアー本体より外側に突出する環状に形成され、
これら一対の取付部は、前記ルアー本体の内部を貫通するワイヤ材にて一体的に形成されている
ことを特徴とする請求項１ないし４のいずれか一項に記載のジギング用ルアー。
【考案の詳細な説明】
【技術分野】
【０００１】
本考案は、ジギングに用いられるジギング用ルアーに関する。
【背景技術】
【０００２】
従来、特許文献１に記載されているように、背面部に比重の軽い素材を設けることで、底面部のキールの重心を安定させ、海中での上下の姿勢を保たせるようにした釣り用ルアーが提案されている。
【０００３】
このように構成された釣り用ルアーにおいては、釣竿をゆっくり動かしながらリールをゆっくりと巻き上げることで、底面部のキールで独特な横揺れが起きるようにしている。
【先行技術文献】
【特許文献】
【０００４】
【特許文献１】実用新案登録第３１８５９４１号公報
【考案の概要】
【考案が解決しようとする課題】
【０００５】
特許文献１に記載された釣り用ルアーは、釣竿をゆっくり動かしながらリールをゆっくりと巻き上げる、いわゆるスローピッチジャークジギングに用いた場合に、独特な横揺れが起きるものの、背面部に比重の軽い素材を設けた構成であるため、早い速度でリールをリズミカルに巻き上げつつ小刻みな釣竿のシャクリ動作を合わせて行う一般的なジギングに用いた場合は、そのリールの巻き上げ動作や釣り竿のシャクリ動作に合わせて、しっかりと確実に、ジャーク、スライド、横揺れ等の動きを引き出すことが容易ではないという問題がある。
【０００６】
本考案は、このような従来技術の実情に鑑みてなされたもので、その目的は、例えばリールの巻き上げ動作や釣り竿のシャクリ動作に合わせて、しっかりかつ確実に動きを引き出すことができるジギング用ルアーを提供することにある。
【課題を解決するための手段】
【０００７】
上記の目的を達成するために、本考案のジギング用ルアーは、細長状のルアー本体と、前記ルアー本体の長手方向の少なくとも一端部に設けられ、釣り針または釣り糸を取り付けるための取付部と、を備え、前記ルアー本体は、長手方向の一端側を構成する軽量部と、この軽量部より重量が大きく長手方向の他端側を構成する重量部とを有し、前記軽量部は、第１の金属材料にて形成され、前記重量部は、前記第１の金属材料とは異なり、前記第１の金属材料より比重が大きな第２の金属材料にて形成されていることを特徴としている。
【０００８】
このように構成されたジギング用ルアーでは、ルアー本体の軽量部より重量が大きく長手方向の他端側を構成する重量部を、軽量部を形成する第１の金属材料とは異なり比重が大きな第２の金属材料にて形成したことにより、例えば、取付部に釣り糸を取り付け、この釣り糸を上側に勢い良く引っ張る等した際に、軽量部の基端側に位置する比重の大きな重量部がしっかりかつ確実に揺れる等の動作をするため、例えば、リールの巻き上げ動作や釣り竿のシャクリ動作等に合わせて、しっかりかつ確実に動きを引き出すことができる。
【０００９】
上記構成のジギング用ルアーにおいて、前記第２の金属材料は、前記第１の金属材料の融点より低い融点の金属材料であり、前記軽量部の前記重量部に対向する位置に、係合突部が突出して設けられ、前記重量部の前記軽量部に対向する位置に、前記係合突部を係止する係合凹部が設けられ、前記ルアー本体は、前記係合突部を前記係合凹部に係合させて、前記軽量部と前記重量部とを一体的に結合させた構成であるため、ルアー本体の製造性を向上しつつ強固にすることができる。
【００１０】
また、上記構成のジギング用ルアーにおいて、前記係合突部の先端側には、前記ルアー本体の長手方向に直交する方向に突出した係止片部が設けられ、前記係合凹部の基端部には、前記係止片部が係止する被係止部が設けられていることにより、軽量部と重量部とをより強固に一体的にできる。
【００１１】
さらに、上記構成のジギング用ルアーにおいて、前記軽量部は、亜鉛合金またはアルミニウム合金にて形成され、前記重量部は、鉛にて形成されているため、安価に製造でき、生産性を向上できる。
【００１２】
また、上記構成のジギング用ルアーにおいて、前記取付部は、前記ルアー本体の両端部のそれぞれに一対設けられ、前記ルアー本体より外側に突出する環状に形成され、これら一対の取付部は、前記ルアー本体の内部を貫通するワイヤ材にて一体的に形成されているため、一対の取付部の強度を向上できる。
【考案の効果】
【００１３】
本考案のジギング用ルアーによれば、例えば、リールの巻き上げ動作や釣り竿のシャクリ動作等に合わせて、しっかりかつ確実に動きを引き出すことができる。
【図面の簡単な説明】
【００１４】
【図１】本考案の実施形態に係るジギング用ルアーを示す斜視図である。
【図２】上記ジギング用ルアーの構造を示す概略斜視図である。
【図３】上記ジギング用ルアーの構成を示す概略平面図である。
【図４】上記ジギング用ルアーの構成を示す概略正面図である。
【図５】上記ジギング用ルアーの構成を示す概略左側面図である。
【図６】上記ジギング用ルアーの軽量部を鋳造した中間体を示す斜視図である。
【図７】上記ジギング用ルアーの使用状況を示す説明図である。
【図８】上記ジギング用ルアーの使用状況における姿勢Ｓ１から姿勢Ｓ２への変化を示す説明図である。
【図９】上記ジギング用ルアーの使用状況における姿勢Ｓ２から姿勢Ｓ３への変化を示す説明図である。
【図１０】上記ジギング用ルアーの使用状況における姿勢Ｓ３から姿勢Ｓ１への変化を示す説明図である。
【考案を実施するための形態】
【００１５】
以下、考案の実施の形態について図面を参照しながら説明すると、図１は本考案の実施形態に係るジギング用ルアーを示す斜視図である。そして、図２はジギング用ルアーの構成を示す概略平面図で、図３はその概略平面図、図４はその概略正面図、図５はその概略左側面図である。
【００１６】
＜全体構成＞
本実施形態に係るジギング用ルアー１は、例えば、早い速度でリールＤをリズミカルに巻き上げつつ小刻みな釣り竿Ｂのシャクリ動作Ｅを合わせて行うジギングに用いられる、いわゆるメタルジグである。以下の説明では、このジギング用ルアー１のうちの、一般的に道糸（釣り糸）Ｃが結ばれる側である長手方向の一端部を先端部と呼び、この先端部の反対側の長手方向の他端部を基端部と呼ぶこととする。
【００１７】
このジギング用ルアー１は、図１〜図５に示すように、疑似餌の形をした細長状のルアー本体２と、ルアー本体２の長手方向の両端部に設けられた一対の取付部３ａ，３ｂとを備えている。
【００１８】
ルアー本体２は、長手方向の一端側（先端部側）を構成する軽量部４と、この軽量部４より重量が大きく長手方向の他端側（基端部側）を構成する重量部５とを有している。要するに、ルアー本体２は、長手方向が軽量部４と重量部５とで二分された構成となっている。軽量部４は、例えば亜鉛合金、アルミニウム合金等の第１の金属材料にて形成されている。重量部５は、第１の金属材料とは異なる、例えば鉛等の第２の金属材料にて形成され、この第２の金属材料は、第１の金属材料より比重が大きく、この第１の金属材料の融点より低い融点を有する金属材料である。
【００１９】
ルアー本体２の長手方向に直交する厚さ方向の一側面には、幅方向の中心位置が最も突出した断面略三角形状のキール部６が設けられているのに対し、ルアー本体２の厚さ方向の他側面はなだらかな湾曲面形状となっている。要するに、ルアー本体２の一側面と他側面とは、非対称な形状となっている。キール部６は、ルアー本体２の長手方向の先端部から基端部に亘って設けられているが、図４から明らかなように、基端部寄りの位置を最も突出した頂点とし、該頂点から基端部に向けて下り勾配で傾斜する形状となっている。このようなキール部６をルアー本体２に形成することにより、フォール時およびシャクリ動作時におけるルアー本体２の水切り性を向上させ、このルアー本体２のキール部６を基点としたスライド動作等の動きを機敏にさせることが可能になっている。
【００２０】
さらに、図１に示すように、ルアー本体２の表面全体には、ホログラムシート等の所定のシート材７が貼り付けられ、このシート材７の表面が必要に応じ所定のカラーで塗装されたりグロー材が塗布されたりしてカラーリングされている。また、ルアー本体２の軽量部４の先端寄りの位置の両側面には、目玉模様が付された目玉シール８が貼り付けられ、この目玉シール８を含んだルアー本体２の表面は、例えばセルロースセメント、ウレタン樹脂、エポキシ樹脂等のコーティング剤にてコーティングされて補強されている。
【００２１】
＜軽量部＞
ルアー本体２の軽量部４における重量部５との接合部には、長手方向に直交する平坦面４ａと、この平坦面４ａの中心位置から長手方向に突出する係合突部４ｂとが設けられている。この係合突部４ｂは、ルアー本体２の幅方向に長軸方向を有し、このルアー本体２の厚さ方向に短軸方向を有する断面略楕円形状に形成されている。そして、係合突部４ｂの先端側には一対の係止片部４ｃが形成されている。この一対の係合突部４ｂは、ルアー本体２の側面方向から見ると略Ｔ字形状となっている。なお、一対の係止片部４ｃは、平坦面４ａの外周縁から外側に突出しない大きさに設定されている。
【００２２】
＜重量部＞
ルアー本体２の重量部５における軽量部４との接合部には、長手方向に直交する平坦面５ａと、この平坦面５ａの中心位置から長手方向に延びる係合凹部５ｂとが設けられている。そして、係合凹部５ｂの内底部には一対の被係止部５ｃが形成されている。一対の係合凹部５ｂは、軽量部４の係合突部４ｂと同一形状の空間となっている。そして、軽量部４の平坦面４ａと重量部５の平坦面５ａとを突き合わせると共に、係合突部４ｂに係合凹部５ｂを係止させ、一対の係止片部４ｃを一対の被係止部５ｃに係止させることによって、軽量部４と重量部５とが一体化され、これら軽量部４と重量部５との長手方向に直交する方向における捻じれや、これら軽量部４の平坦面４ａと重量部５の平坦面５ａとの間での折れが防止される構成となっている。
【００２３】
＜取付部＞
一対の取付部３ａ，３ｂは、それぞれルアー本体２の長手方向の端部から外側に突出して設けられている。これら取付部３ａ，３ｂは、使用用途に応じ、例えば、スプリットリング、釣り糸（ライン）またはワイヤを介してフック（釣り針）Ａを取り付けたり、道糸Ｃの端部を結び付けたり、道糸Ｃの端部に取り付けられたワイヤを接続したりするための針又は糸接続部としての、いわゆるアイである。そして、これら取付部３ａ，３ｂは、ルアー本体２の幅方向および厚さ方向それぞれの中心位置を長手方向に沿って貫通するワイヤ材３にて一体的に形成されている。このワイヤ材３は、ステンレスワイヤ等の、曲げ加工した形状が維持できる金属製の線材であり、図２および図３等に示すように、このワイヤ材３の両端部を円弧状に湾曲させ、それら両端部の先端を１８０度折り曲げ加工することによって、各取付部３ａ，３ｂが形成されている。
【００２４】
＜バランス＞
そして、ルアー本体２の軽量部４と重量部５とは、図１ないし図５に示すように、軽量部４の長手寸法が重量部５の長手寸法より小さく、この重量部５の長さ寸法は、ルアー本体２の長さ寸法の２分の１より大きい。さらに、ルアー本体２は、上記のように、軽量部４を構成する第１金属材料の比重が重量部５を構成する第２の金属材料の比重より小さいという、軽量部４と重量部５との間の比重関係に加え、重量部５の体積を軽量部４よりも大きい形状とすることにより、ルアー本体２の重心が長手方向の中心位置よりも重量部５側へ大きくずれた位置となるように構成されている。
【００２５】
＜製造方法＞
次に、ジギング用ルアー１の製造方法について、図１ないし図６を参照しながら説明する。ここで、図６は、ジギング用ルアー１の軽量部４を鋳造した中間体９を示す斜視図である。
【００２６】
（準備工程）
まず、ルアー本体２の長手寸法の１．５倍程度の長さ寸法を有するワイヤ材３を用意する。このワイヤ材３の両端部には、それぞれ環状の取付部３ａ，３ｂが形成されており、これら取付部３ａ，３ｂの折り返し部は溶接等の手段を用いてワイヤ材３に固定されている。
【００２７】
（第１鋳造）
次いで、両端部に取付部３ａ，３ｂが形成されたワイヤ材３を、軽量部４の形状に型抜きされた第１金型（図示せず）のキャビティ内にセットする。その後、この第１金型のキャビティに溶融させた第１の金属材料を流し込んで冷却・固化させることにより、図５に示すように、軽量部４の先端部から一方の取付部３ａが突出し、軽量部４の係合突部４ｂの中心位置からワイヤ材３の他端側が突出した状態の中間体９を形成する。このとき、軽量部４には、平坦面４ａ、係合突部４ｂ、および係止片部４ｃのそれぞれが形成される。
【００２８】
（第２鋳造）
さらに、この中間体９を、軽量部４と重量部５とを含んだルアー本体２の全体形状に型抜きされた第２金型（図示せず）のキャビティ内にセットする。その後、この第２金型のキャビティに溶融させた第２の金属材料を流し込んで冷却・固化させることにより、図２ないし図５に示すように、長手方向の両端部に一対の取付部３ａ，３ｂを有すると共に、重量部５と軽量部４とが一体化されたルアー本体２が形成される。このとき、重量部５には、平坦面５ａ、係合凹部５ｂ、および被係止部５ｃのそれぞれが形成される。
【００２９】
このとき、ルアー本体２は、軽量部４の平坦面４ａが重量部５の平坦面５ａに密着し、この軽量部４の係合突部４ｂが重量部５の係合凹部５ｂに係合し、この軽量部４の係止片部４ｃが重量部５の被係止部５ｃに係止した状態であって、両端部から取付部３ａ，３ｂが突出した状態となる。
【００３０】
（装飾加工）
この後、ルアー本体２の表面全体に、所定のシート材７を貼り付けてから、このシート材７の表面を必要に応じ所定のカラーを塗装したりグロー材を塗布したりしてカラーリングを行う。次いで、乾燥してから、ルアー本体２の軽量部４の先端寄りの位置の両側面に目玉シール８を貼り付ける。その後、このルアー本体２を、コーティング剤にどぶ付け等し、ルアー本体２の表面全体をコーティング剤にてコーティングして、図１に示す、ジギング用ルアー１が完成する。
【００３１】
＜使用方法＞
次に、ジギング用ルアー１の使用方法、及びその特徴等について、図７〜図１０を参照しつつ説明する。
【００３２】
まず、ジギング用ルアー１の取付部３ａ，３ｂの何れか、またはその両方にジギング用フック等のフックＡを取り付ける。次いで、このジギング用ルアー１の軽量部４側の取付部３ａに、釣り竿Ｂの穂先Ｂ１から出ている道糸Ｃの先端部を接続する。
【００３３】
この状態で、リールＤのクラッチを切ったりベールを起こしたりする等して、リールＤから道糸Ｃが放出可能な状態にし、ジギング用ルアー１をフォールし（水中に徐々に沈め）ていく。このとき、ジギング用ルアー１に形成されているキール部６の作用や重量バランスによって、フォール中にジギング用ルアー１が長手方向や幅方向にスライド移動したりヒラヒラと幅方向に揺れたりする不規則な動きをする。
【００３４】
そして、例えばブリ等の対象魚Ｘがジギング用ルアー１に食い付く等のあたりをフォール中に感知できず、リールＤからの道糸Ｃの放出が停止したり、リールＤのカウンタや道糸Ｃの色等を確認してジギング用ルアー１が所定の深さまで到達したことが分かった場合には、図７に示すように、リールＤのハンドルを回したりベールを戻す等して、道糸Ｃが巻き取り可能な状態にする。このとき、一般的に、ジギング用ルアー１は、図８に示すように、重量部５側の取付部３ｂを下方に向け軽量部４側の取付部３ａを上方に向けた姿勢Ｓ１となっている。
【００３５】
＜特徴＞
その後、図７に示すように、比較的早い速度でリールＤをリズミカルに巻き上げたり、一定の速度で巻き上げたり、所定のタイミングで小刻みまたは大きく釣り竿Ｂを上下に振る等するシャクリ動作Ｅを組み合わせる巻き取り動作を行う。このとき、ジグング用ルアー１のルアー本体２の基端側の重量部５を軽量部４より重量が大きくかつ比重を大きく構成したことにより、ジギング用ルアー１は、水中で巻き上げられながら、釣り竿ｂのシャクリ動作Ｅに合わせて、図８に示すように、軽量部４側の取付部３ａを先頭にして上昇しつつ円弧状の軌道を描きながら横方向へ移動する動作を行い、ルアー本体２がほぼ水平な姿勢Ｓ２の状態となる。
【００３６】
さらに、ジギング用ルアー１は、軽量部４より比重が大きな重量部５の影響により、図９に示すように、姿勢Ｓ２の状態から、重量部５側の取付部３ｂを先頭にして、ルアー本体２をほぼ水平な状態としつつ下降かつ横方向にスライド移動して姿勢Ｓ３の状態となる。さらに、姿勢Ｓ３となったジギング用ルアー１は失速し、図１０に示すように、自重により重量部側の取付部３ｂを先頭にして、円弧状の軌道を描きながら、ルアー本体２がほぼ垂直な状態となる姿勢Ｓ１へ戻る動作を行う。
【００３７】
そして、上記のシャクリ動作Ｅを継続することにより、ジギング用ルアー１は、シャクリ動作Ｅのタイミングに合わせて姿勢Ｓ１〜Ｓ３の動作を繰り返し、対象魚Ｘへのアピール、要するに対象魚Ｘの食い付きを誘発する動作を継続する。
【００３８】
＜作用効果＞
以上説明したように、本実施形態に係るジギング用ルアー１では、軽量部４と重量部５で構成されたルアー本体２とし、このルアー本体２の重量部５を軽量部４より重量が大きくかつ比重が大きな構成としたことにより、フォール時、巻き上げ時、およびシャクリＥ動作時のいずれの場合においても、ジギング用ルアー１の動作をしっかりかつ確実に引き出すことができる。特に、シャクリ動作Ｅ時は、ジギング用ルアー１が姿勢Ｓ１〜Ｓ３へ移動するため、確実かつ大きく対象魚Ｘにアピールできる。よって、ジギング用ルアー１を用いてジギングを行うことにより、大きな釣果を期待できる。
【００３９】
また、ルアー本体２の重量部５を構成する第２の金属材料を、軽量部４を構成する第１の金属材料の融点より低い融点の金属材料としたことにより、融点が高い第１の金属材料で軽量部４を鋳造した後に、融点が低い第２の金属材料を鋳造しても、融点が高い第１の金属材料が溶融しない。したがって、第１の金属材料にて軽量部４を鋳造した後に、この軽量部４をセットした金型内に、溶融した第２の金属材料を流し込んで重量部５を鋳造できるから、これら軽量部４と重量部５とを接触させて一体的に形成することが容易にできる。
【００４０】
このとき、ルアー本体２の軽量部４に係合突部４ｂ、および係止片部４ｃをそれぞれ形成し、これら係合突部４ｂ、および係止片部４ｃに係合、または係止する係合凹部５ｂ、および被係止部５ｃをルアー本体２の重量部５にそれぞれ形成している。この結果、ルアー本体２は、軽量部４の係合突部４ｂが重量部５の係合凹部５ｂに係合し、この軽量部４の係止片部４ｃが重量部５の被係止部５ｃに係止された状態となる。よって、軽量部４と重量部５とで二分された構成のルアー本体２であっても、これら軽量部４と重量部５とをより強固に一体的にできるから、ルアー本体２を強固にできる。
【００４１】
また、ルアー本体２の長手方向の端部から一対の取付部３ａ，３ｂが外側に突出して設けられ、これら取付部３ａ，３ｂがルアー本体２の内部を貫通するワイヤ材３にて一体的に形成されているため、これら取付部３ａ，３ｂがルアー本体２の端部にねじ止め等で取り付けられている場合に比べ、これら取付部３ａ，３ｂの強度を確保でき、これら取付部３ａ，３ｂでの破損や損傷を少なくできる。
【００４２】
特に、亜鉛、アルミニウム、鉛は、一般的に釣り具の錘等の材料として用いられる比較的安価な材料である。そこで、軽量部４を構成する第１の金属材料を亜鉛合金とし、重量部５を構成する第２の金属材料を鉛とすることにより、ルアー本体２を安価な材料で製造できるから、ジギング用ルアー１の生産性を向上できる。
【００４３】
＜その他＞
なお、本考案は前述した実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【００４４】
例えば、上記実施形態では、ルアー本体２の長手方向の両端部のそれぞれに取付部３ａ，３ｂを設けた構成としたが、このルアー本体２の長手方向の軽量部４側の端部のみに取付部３ａを設けてもよい。また、ルアー本体２のサイズは、対象魚、使用場所、使用時期等に応じて、種々の大きさに設計して製造することもできる。
【００４５】
また、上記実施形態では、両端に取付部３ａ，３ｂが形成されたワイヤ材３を予め準備し、このワイヤ材３を用いてジギング用ルアー１を製造したが、ジギング用ルアー１を製造するたびに、ワイヤ材３の両端部を折り曲げ加工して環状の取付部３ａ，３ｂを形成する折曲工程を追加して行うこともできる。
【００４６】
さらに、上記実施形態では、軽量部４を鋳造してから重量部５を鋳造して一体的な構成のルアー本体２を製造する製造方法としたが、これら軽量部４および重量部５が一体的なルアー本体を製造できる方法であれば、鋳造以外の方法であってもよい。
【００４７】
また、上記実施形態では、軽量部４を亜鉛合金やアルミニウム合金等で形成し、重量部５を鉛で形成したが、これら軽量部４および重量部５を形成する材料としては、重量部５を構成する第２金属材料を、軽量部４を構成する第１の金属材料とは異なり第１の金属材料より比重が大きく融点が低い金属材料であれば、どのような金属材料であってもよい。
【符号の説明】
【００４８】
１  ジギング用ルアー
２  ルアー本体
３  ワイヤ材
３ａ，３ｂ  取付部
４  軽量部
４ａ  平坦面
４ｂ  係合突部
４ｃ  係止片部
５  重量部
５ａ  平坦面
５ｂ  係合凹部
５ｃ  被係止部
６  キール部
７  シート材
８  目玉シール
９  中間体
Ａ  フック（釣り針）
Ｂ  釣り竿
Ｂ１  穂先
Ｃ  道糸（釣り糸）
Ｄ  リール
Ｅ  シャクリ動作
Ｘ  対象魚
Ｓ１〜Ｓ３  姿勢
【図１】
0003229440.tif 000003
【図２】
0003229440.tif 000004
【図３】
0003229440.tif 000005
【図４】
0003229440.tif 000006
【図５】
0003229440.tif 000007
【図６】
0003229440.tif 000008
【図７】
0003229440.tif 000009
【図８】
0003229440.tif 000010
【図９】
0003229440.tif 000011
【図１０】
0003229440.tif 000012